(57)【要約】【課題】伸縮パイプの内管と外管とを電気的に接続する配線機構に不具合が生じることを防止することができると共に、吸込抵抗を低下させることなく外管の径を小さくして軽量化を図ることができる電気掃除機を提供することを課題とする。【解決手段】伸縮パイプ２は外管７と外管７内に摺動自在に収納される内管８とから構成され、伸縮パイプ２の両端部における吸気流路の外側には回転ブラシを駆動する電動機に電源を接続するための連絡配線用端子１３，２８が配設され、また伸縮パイプ２の吸気流路の外側には両端子間を連通させる配線スペースが形成され、この配線スペース内には両端子間を連絡し且つ伸縮パイプ２の伸縮と共に伸縮する伸縮スプリング４７式の連絡配線が配設され、さらに配線スペースの空き空間には外管から内管が抜け出ることを防止する抜止機構１６，３８が配置されている。【選択図】        図３
2005152492.tif 000002
【特許請求の範囲】
【請求項１】
電気掃除機の本体と、電動機により回転駆動する回転ブラシを有する床用吸込具と、本体と床用吸込具間に介在する伸縮パイプとを備えた電気掃除機において、前記伸縮パイプは外管と外管内に摺動自在に収納される内管とから構成され、伸縮パイプの両端部における吸気流路の外側には回転ブラシを駆動する電動機に電源を接続するための連絡配線用端子が配設され、また伸縮パイプの吸気流路の外側には両端子間を連通させる配線スペースが形成され、この配線スペース内には両端子間を連絡する連絡配線が配設され、さらに配線スペースの空き空間には外管から内管が抜け出ることを防止する抜止機構が配置されていることを特徴とする電気掃除機。
【請求項２】
前記外管側の配線スペースは、外管側の連絡配線用端子を含む外管の吸気流路の外周面と、この外周面を内管側へ向かって軸方向に覆う外管蓋との間に形成され、内管側の配線スペースは、一方が内管側の連絡配線用端子近傍の吸気流路の外周面とこの外周面を覆うカバー部との間に形成されると共に、他方がカバー部から外管側へ向かって軸方向に延設された延設部と延設部の下方を覆う底板との間に形成され、延設部及び底板は外管の吸気流路の外周面と外管蓋との間の空間に摺動自在に収納されると共に、延設部と外管蓋との間に外管からの内管の突出量を調整する調整機構が形成されていることを特徴とする請求項１記載の電気掃除機。
【請求項３】
前記外管側の配線スペースを構成する吸気流路の外周面の内管挿入口近傍には、外周側へ向けて突出する突条が軸方向に沿って形成されていると共に、内管の底板には、突条と摺動自在に係合する凹溝が軸方向に沿って形成されていることを特徴とする請求項２記載の電気掃除機。
【請求項４】
前記抜止機構は、外管に形成された突条と、内管の延設部の先端部近傍に装着され、突条に当接自在なストッパーとから構成されていることを特徴とする請求項３記載の電気掃除機。
【請求項５】
前記ストッパーが装着される延設部の先端部近傍には、上方から突条より低い位置まで凹設された凹所が形成されると共に、底板に被係合手段が形成され、ストッパーには、凹所に挿入され、突条に当接自在な当接部が形成されていると共に、被係合手段に係合する係合手段が形成されていることを特徴とする請求項４記載の電気掃除機。
【請求項６】
前記ストッパーの当接部の下端から突条の上端までの距離は、ストッパーの上端から外管蓋の内壁までの距離より長くなるように形成されていることを特徴とする請求項５記載の電気掃除機。
【請求項７】
前記伸縮パイプは、ＰＰ樹脂により形成され、床用吸込具側の伸縮パイプの外周面にＡＢＳ樹脂により形成された取付台を装着すると共に、取付台に簡易ブラシは回動自在に装着されていることを特徴とする請求項１乃至請求項６の何れか１項に記載の電気掃除機。
【請求項８】
前記内管は、床用吸込具側に向けて配設されると共に、前記取付台は、内管の吸気流路の外周面とカバー部との間に狭持されて内管に装着されていることを特徴とする請求項７記載の電気掃除機。
【請求項９】
前記取付台は、簡易ブラシを所定の回動位置で係止させる係合手段を備えていることを特徴とする請求項７または請求項８記載の電気掃除機。
【発明の詳細な説明】
【技術分野】
【０００１】
本発明は、電気掃除機の本体と、電動機により回転する回転ブラシを有する床用吸込具との間に介在し、外管に対して内管を伸縮自在に収納する伸縮パイプを備えた電気掃除機に関する。
【背景技術】
【０００２】
この種、電気掃除機の伸縮パイプは、外管と、外管内に摺動自在に収納される内管とから構成され、内管を外管の外側へ引き出して伸縮パイプを伸ばす際、外管側の内管端部から外方に突出している端子が外管の端部材に配設された端子に接続することにより、外管と内管は電気的に接続されるようになっている。また、内管の外周面に装着されたシーリングにより内管の外周面と外管の内周面との空間をシールすると共に、シリングと略同形状の、内管の外周面に装着されたストップリングが外管の端部材に当接することにより内管は外管に対して抜け止めされるようになっているものが知られている。（例えば、特許文献１参照）
【特許文献１】特開２００３−２９００９９号公報
【発明の開示】
【発明が解決しようとする課題】
【０００３】
しかしながら、外管側の内管端部から外方に突出している端子は、内管の外周面と外管の内周面との間の空間に臨んでいるため、この端子は床用吸込具から吸込まれる塵埃を含んだ空気に常に触れている。従って、例えば、水分を含んだごみ等を床用吸込具から吸込んだ場合、ごみ等に含まれている水分により端子が錆付いてしまい接触不良を起こしたり、端子間が湿ったごみ等により連通してしまい短絡する虞があった。
【０００４】
また、外管内に摺動自在に収納される内管は、内管の外周面にシーリングやストップリングを装着しているため、シーリングやストップリングを装着した分だけ外管の径が大きくなってしまう問題点があった。この問題点を解決するために外管の径を小さくする方法が考えられるが、そうすれば、内管の径が極端に小さくなって吸込みの抵抗が増大し、吸込性能が低下する問題が生じる。
【０００５】
本発明は、このような課題を解決するためになされたものであり、伸縮パイプの内管と外管とを電気的に接続する配線機構に不具合が生じることを防止することができると共に、吸込抵抗を低下させることなく外管の径を小さくして軽量化を図ることができる電気掃除機を提供することを課題とする。
【課題を解決するための手段】
【０００６】
上記課題を解決するための手段は、電気掃除機の本体と、電動機により回転駆動する回転ブラシを有する床用吸込具と、本体と床用吸込具間に介在する伸縮パイプとを備えた電気掃除機において、前記伸縮パイプは外管と外管内に摺動自在に収納される内管とから構成され、伸縮パイプの両端部における吸気流路の外側には回転ブラシを駆動する電動機に電源を接続するための連絡配線用端子が配設され、また伸縮パイプの吸気流路の外側には両端子間を連通させる配線スペースが形成され、この配線スペース内には両端子間を連絡する連絡配線が配設され、さらに配線スペースの空き空間には外管から内管が抜け出ることを防止する抜止機構が配置されていることを特徴とする。
【０００７】
上記課題を解決するための手段において、前記外管側の配線スペースは、外管側の連絡配線用端子を含む外管の吸気流路の外周面と、この外周面を内管側へ向かって軸方向に覆
う外管蓋との間に形成され、内管側の配線スペースは、一方が内管側の連絡配線用端子近傍の吸気流路の外周面とこの外周面を覆うカバー部との間に形成されると共に、他方がカバー部から外管側へ向かって軸方向に延設された延設部と延設部の下方を覆う底板との間に形成され、延設部及び底板は外管の吸気流路の外周面と外管蓋との間の空間に摺動自在に収納されると共に、延設部と外管蓋との間に外管からの内管の突出量を調整する調整機構が形成されてもよい。
【０００８】
また、前記外管側の配線スペースを構成する吸気流路の外周面の内管挿入口近傍には、外周側へ向けて突出する突条が軸方向に沿って形成されていると共に、内管の底板には、突条と摺動自在に係合する凹溝が軸方向に沿って形成されてもよい。
【０００９】
また、前記抜止機構は、外管に形成された突条と、内管の延設部の先端部近傍に装着され、突条に当接自在なストッパーとから構成されてもよい。
【００１０】
また、前記ストッパーが装着される延設部の先端部近傍には、上方から突条より低い位置まで凹設された凹所が形成されると共に、底板に被係合手段が形成され、ストッパーには、凹所に挿入され、突条に当接自在な当接部が形成されていると共に、被係合手段に係合する係合手段が形成されてもよい。
【００１１】
また、前記ストッパーの当接部の下端から突条の上端までの距離は、ストッパーの上端から外管蓋の内壁までの距離より長くなるように形成されてもよい。
【００１２】
また、前記伸縮パイプは、ＰＰ樹脂により形成され、床用吸込具側の伸縮パイプの外周面にＡＢＳ樹脂により形成された取付台を装着すると共に、取付台に簡易ブラシは回動自在に装着されてもよい。
【００１３】
また、前記内管は、床用吸込具側に向けて配設されると共に、前記取付台は、内管の吸気流路の外周面とカバー部との間に狭持されて内管に装着されてもよい。
【００１４】
また、前記取付台は、簡易ブラシを所定の回動位置で係止させる係合手段を備えてもよい。
【発明の効果】
【００１５】
本発明の請求項１の構成によれば、内管と外管とを電気的に連通させる配線機構は、床用吸込具から吸気される塵埃を含んだ空気流路に触れないため、配線機構は塵埃を含んだ空気による悪影響を受けることはなく、配線機構の劣化を防止することができる。また、抜止機構は配線スペースの空き空間に形成しているため、デッドスペースを有効利用して省スペース化を図ることができると共に、外管の外径を大きくすることなく内管を外管から抜け止めすることができ、伸縮パイプの軽量化を図ることができる等の効果を奏する。
【００１６】
本発明の請求項２の構成によれば、外管側の配線スペースを構成する外管蓋と、内管側の配線スペースを構成する延設部との間に、外管からの内管の突出量を調整する調整機構が形成されているため、構成を簡素化することができる等の効果を奏する。
【００１７】
本発明の請求項３の構成によれば、外管配線スペースを構成する外管の吸気流路の外周面に形成された突条と、内管配線スペースを構成する底板に形成され、突条に摺動自在に係合する凹溝とが摺動のガイドとなるため、外管と内管との摺動性を向上させることができる等の効果を奏する。
【００１８】
本発明の請求項４の構成によれば、内管の延設部の先端近傍にストッパーを装着すると
いう簡単な構成により、外管の外径を大きくすることなく内管を外管から抜け止めすることができ、構成を簡素化することができると共に、伸縮パイプの軽量化を図ることができる等の効果を奏する。
【００１９】
本発明の請求項５の構成によれば、ストッパーは、内管配線スペースの上方から容易に装着することができるため、ストッパーの装着作業性を向上させることができる等の効果を奏する。
【００２０】
本発明の請求項６の構成によれば、ストッパーの当接部の下端から突条の上端までの距離は、ストッパーの上端から外側配線部の上壁内面までの距離より長くなるように形成されているため、何らかの原因でストッパーの係合手段が破損した場合でも、内管の抜け止め機能を維持させることができる等の効果を奏する。
【００２１】
本発明の請求項７の構成によれば、内管及び外管は、比較的軽量なＰＰ樹脂により形成されているため、さらに伸縮パイプの軽量化を図ることができる。取付台をＡＢＳ樹脂により形成しているため、簡易ブラシの回動の耐久性に問題が生じることを防止することができる等の効果を奏する。
【００２２】
本発明の請求項８の構成によれば、取付台は、内管配線スペースを構成する部品により狭持されて装着されるため、取付台の装着作業性を向上させることができる等の効果を奏する。
【００２３】
本発明の請求項９の構成によれば、取付台に簡易ブラシを所定の回動位置で係止させる係合手段を形成しているため、簡易ブラシの操作性を向上させることができる等の効果を奏する。
【発明を実施するための最良の形態】
【００２４】
本発明に係る電気掃除機１を実施するための最良の伸縮パイプ２の形態を図１乃至図１３に基づいて説明する。
【００２５】
電気掃除機１は、図示しない集塵部を有する本体３と、本体３に接続されるホース４と、ホース４に接続され、グリップ５を握った状態で本体３の操作ができる手元操作部６と、外管７が手元操作部６に接続され、外管７に対して内管８を摺動自在に収納すると共に、外管７から内管８までの後述する配線機構を備えた伸縮パイプ２と、伸縮パイプ２の内管８に接続され、図示しない回転ブラシを駆動する電動機を備えた床用吸込具９とから構成されている（図１０参照）。そして、ホース４及び手元操作部６には図示しない配線機構が備えられており、本体３からの電力は、ホース４、手元操作部６及び伸縮パイプ２を介して床用吸込具９の電動機に供給されるようになっている。床用吸込具９から吸気される吸気の上流側に内管８が位置しているため、内管８と外管７との段差に塵埃が引っ掛かることはなく、円滑に塵埃を吸引することができるようになっている。
【００２６】
伸縮パイプ２は、手元操作部６に着脱自在に装着され、ＰＰ樹脂により略筒状に形成された外管７と、床用吸込具９に着脱自在に装着されると共に、外管７内に摺動自在に収納され、ＰＰ樹脂により略筒状に形成された内管８とから構成されている。外管７は、外管部１０の内周面に形成された外管吸気流路１１と、外管吸気流路１１と隔離されて外管部１０の外周面に形成された外管配線スペース１２と、外管配線スペース１２の反内管８側の端部に形成され、手元操作部６に電気的に接続される一対の第１端子１３が装着される第１端子装着部１４と、外管配線スペース１２の上壁を構成する外管蓋１５と、内管８側の外管配線スペース１２の端部に軸方向に沿って外方に突出形成された２本の突条１６と、外管配線スペース１２の突条１６より外周側に形成され、外管７からの内管８の突出量
を調整する調整機構１７とから構成されている（図１及び図２参照）。
【００２７】
調整機構１７は、突条１６の外周側に配設され、支部１８を回動中心として回動自在に支持された調整ボタン１９と、調整ボタン１９の先端に係合すると共に、後述する内管８の凹部４６に係脱自在に係合する操作部２０と、支部１８に対して操作部２０と反対側の調整ボタン１９の下部に配設され、操作部２０を下方に付勢するスプリング２１と、調整ボタン１９の一部が露出する孔２２を有すると共に、調整ボタン１９等を覆い螺子２３により装着されるカバー２４とから構成されている（図１乃至図４参照）。
【００２８】
内管８は、内管部２５の内周面に形成された内管吸気流路２６と、外管配線スペース１２に対応する位置の、反外管７側の内管部２５端部の外周面に形成された装着部２７と、装着部２７に形成され、床用吸込具９に電気的に接続される一対の第２端子２８が装着される第２端子装着部２９と、装着部２７に形成され、床用吸込具９を係止するフック３０が装着されるフック装着部３１と、装着部２７を覆うカバー部３２を有すると共に、内管部２５の外周面と間隔を隔てて軸方向に延設された延設部３３を有する内管蓋３４と、内管部２５の外周面と間隔を隔てて延設部３３の下部に装着される底板３５と、装着部２７とカバー部３２との間に狭持されて固定されるＡＢＳ樹脂により形成された取付台３６と、取付台３６に回動自在に装着されるＡＢＳ樹脂により形成された簡易ブラシ３７と、外管７側の延設部３３の端部に装着されるストッパー３８とから構成されている（図１乃至図５参照）。
【００２９】
ストッパー３８は、略コ字状に形成され、突条１６に当接自在な当接部３９と、底板３５に係合する係合爪４０が設けられている。当接部３９は２本の突条１６の間隔より幅広に形成されている。当接部３９に対応する延設部３３及び底板３５には当接部３９が貫通する貫通孔４１が設けられ、貫通孔４１を介して当接部３９は上方から外管配線スペース１２の底面に近接するようになっている。底板３５にはストッパー３８の係合爪４０が係合する被係合部４２が形成されている。ストッパー３８の当接部３９の下端から突条１６の上端までの距離は、ストッパー３８の上端から外管蓋１５の内壁までの距離より長くなるように形成されている（図３及び図４参照）。
【００３０】
底板３５と延設部３３とから形成された空間は、内管８の配線を収納する内管配線スペース４３となっている。底板３５の底面には、突条１６に対応する位置に突条１６に摺動自在に係合する上方に凹設された凹溝４４が軸方向に沿って形成されており、内管配線スペース４３は外管配線スペース１２内に摺動自在に収納されると共に、内管部２５は外管部１０内に摺動自在に収納されるようになっている。内管部２５外周面と外管部１０内周面との隙間は、外管７側の内管部１０の外周面に装着された自己潤滑性を有するシリコン入りのパッキン４５により閉塞される。そして、パッキン４５自身が有する潤滑性により内管部２５の摺動性を向上させている。
【００３１】
内管蓋３４の延設部３３の外周面には、下方に向けて凹設され、外管７の操作部２０が係合する凹部４６が軸方向に沿って複数形成されている。相対向する一対の第１端子１３と第２端子２８とは、電導性が良好で強靭なバネ材（本発明の形態においてはリン青銅鋼）で形成された一対の伸縮スプリング４７により電気的に接続されている。伸縮スプリング４７はスリーブ４８により覆われて保護されている（図１乃至図４参照）。
【００３２】
取付台３６は、周方向の一側面が軸方向に沿って切欠かれた開放部４９を有する略円筒形状をしている。取付台３６の一端側の開放部４９には、互いに内側に延設する鍔部５０が夫々形成されている。鍔部５０には装着部２７に形成された一対の凸部５１に係止する取付穴５２が夫々形成されている。取付台３６の他端側の開放部４９には、互いに内側に延設すると共に、上方に屈曲する抜止部５３が形成されている。取付台３６の相対向する
外周面には、外方に突出する一対の突部５４が形成されている。突部５４の開放部４９側には一対の係止孔５５が形成されている。カバー部３２には、取付台３６の鍔部５０及び抜止部５３との干渉を防止するための、逃し部５６が形成されている（図５参照）。
【００３３】
簡易ブラシ３７は、ベース部５７と、ベース部５７の一側面に配設されたブラシ部５８とから構成された略Ｕ字状の形状をしている。ベース部５７には取付台３６の突部５４に係合する一対の回動中心孔５９が形成されている。回動中心孔５９に対して開放側には、簡易ブラシ３７が収納状態で係止孔５５に係合する第１係止突部６０が左右一対形成されている。回動中心孔５９に対して開放側と反対側の位置には、簡易ブラシ３７が使用状態で係止孔５５に係合する第２係止突部６１が左右一対形成されている（図５参照）。
【００３４】
外管７の外周面には、図示しない隙間用ノズル等の付属部品が係合するスリーブ部６２を有する付属部品収納部６３がネジ６４により装着されている。内管８の外周面には、伸縮パイプ２等を立てた状態で本体３に収納するためのスタンドピース６５が図示しないネジ体により装着されている（図１、図５、図１０参照）。
【００３５】
本体３の後方上部には本体３の駆動状態を表示する表示部６６ａが形成されている。従来の表示部６６は図１３に示すように、レンズ６５がＬＥＤ６６等の発光部品を載置している基板６７に接触して基板６７が破損することを防止するために、レンズ６５と基板６７との間に距離を設けていた。しかしながら、この構成では、基板６７とレンズ６５との間に距離があるため、レンズ６５への光の損失が大きくなって高輝度を有するＬＥＤ６６が必要となりコストが上昇してしまう。また、レンズ６５とＬＥＤ６６との位置関係がずれる虞があり、この場合には表示部６６が所定の輝度で表示できなくなる虞がある。
【００３６】
これに対して、本形態では、図１１に示す表示部６６ａのようにレンズ６５と基板６７とを一体的に下側部品６８に螺子体６９で固定している。この構成により、基板６７とレンズ６５とを近接させることができるため、高輝度のＬＥＤ６６が不要となりコストの低減化を図ることができると共に、レンズ６５とＬＥＤ６６との位置関係がずれることはなく、表示部６６は所定の輝度を維持させることができる。また、レンズ６５に外力が加わった際、例えば、下側部品６８に力を分散させる等の外力を基板６７以外に分散させる図示しない力分散手段をレンズ６５の一部に形成することにより、レンズ６５に外力が加わっても基板６７が破損することはない。
【００３７】
図１２は他の表示部６６ｂの構成を示している。表示部６６ａは螺子体６９によりレンズ６５と基板６７とを一体的に固定したが、表示部６６ｂはレンズ６５に爪部７０を形成すると共に、下側部品６８に爪部７０が係合する段部７１を形成している。この表示部６６ｂの構成により、表示部６６ａと同様にレンズ６５と基板６７とを一体的に固定することができ、基板６７とレンズ６５とを近接させることができるため、高輝度のＬＥＤ６６が不要となりコストの低減化を図ることができると共に、レンズ６５とＬＥＤ６６との位置関係がずれることはなく、表示部６６ｂは所定の輝度を維持させることができる。
【００３８】
次に伸縮パイプの組立て順序を説明する。第１端子１３と第２端子２８とをスリーブ４８で保護された伸縮スプリング４７を介して電気的に接続する。内管蓋３４を裏返し一対の伸縮スプリング４７を第１端子１３が延設部３３側なるようにして、スリーブ４８を介して内管蓋３４の裏面に形成された図示しない配線部に沿って配線し、第１端子１３及び第２端子２８が底板３５から外側に出るような状態にして底板３５を内管蓋３４に超音波溶着により固着する。
【００３９】
第２端子２８を第２端子装着部２９に装着すると共に、フック３０をフック装着部３１に装着し、取付台３６の鍔部５０に形成された取付穴５２を装着部２７の凸部５１に係止
させて取付台３６を仮固定した後、カバー部３２を装着部２７に超音波溶着により固着する。簡易ブラシ３７の回動中心孔５９を突部５４に係合させて簡易ブラシ３７を取付台３６に装着すると共に、スタンドピース６５を外管７に挿入される側から内管８に挿入し、スタンドピース６５を内管８に圧入装着する。外管部１０側の内管部２５端部の外周にパッキン４５を装着する（図１及び図２参照）。
【００４０】
内管部２５を外管部１０内に挿入すると共に、内管配線スペース４３を外管配線スペース１２内に挿入し、外管７側の内管蓋３４先端にストッパー３８を装着する。第１端子装着部１４に第１端子１３を装着し外管蓋１５をねじ７２によって固定する。調整ボタン１９、操作部２０及びスプリング２１を組立てた後、螺子２３によりカバー２４を装着する。外管７の外周面に付属部品収納部６３をネジ６４によって固定することにより伸縮パイプ２の組立てが終了する。
【００４１】
この時、簡易ブラシ３７の第１係止突部６０を取付台３６の係止孔５５に係合させることにより簡易ブラシ３７は収納状態で係止する（図８参照）。また、簡易ブラシ３７の第２係止突部６１を取付台３６の係止孔５５に係合させることにより簡易ブラシ３７は使用状態で係止する（図９参照）。
【００４２】
伸縮パイプ２はこのように構成されており、内管８と外管７とを電気的に連通させる配線機構は、床用吸込具９から吸気される塵埃を含んだ空気に触れないため、配線機構は塵埃を含んだ空気による悪影響を受けることはない。また、配線機構は、内管配線スペース４３と外管配線スペース１２により覆われているため、配線機構に埃が堆積することを防止することができ、埃による配線機構の悪影響を防止することができると共に、内管配線スペース４３と外管配線スペース１２とにより抜止機構を構成することができ、構成を簡素化することができる。
【００４３】
外管配線スペース１２に形成された突条１６と、内管配線スペース４３に形成された凹溝４４とが摺動のガイドとなるため、外管７と内管８との摺動性が向上する。また、外管７側の内管配線スペース４３の端部にストッパー３８を装着することにより、外管７の外径を大きくすることなく内管８を外管７から抜け止めすることができ、伸縮パイプ２の軽量化を図ることができる。内管８及び外管７は、比較的軽量なＰＰ樹脂により形成されているため、さらに伸縮パイプ２の軽量化を図ることができる。
【００４４】
伸縮パイプ２をＰＰ樹脂により形成すると、伸縮パイプ２に簡易ブラシ３７を装着した場合、ＰＰ樹脂は比較的柔らかいため、簡易ブラシ３７の回動耐久性に支障が生じる虞がある。そこで、比較的硬いＡＢＳ樹脂により形成された取付台３６を伸縮パイプ２の外周面に装着し、この取付台３６に簡易ブラシ３７を回動自在に装着することによりこの問題を解決している。
【００４５】
外管７からの内管８の突出量を調整する調整機構１７は、外管配線スペース１２と内管配線スペース４３間に形成されているため、構成を簡素化することができる。
【００４６】
取付台３６は、内管８の装着部２７とカバー部３２とにより狭持されて装着されるため、取付台３６の装着作業性を向上させることができる。また、取付台３６に簡易ブラシ３７を所定の回動位置で係止させる係合手段である突部５４及び係止孔５５を形成しているため、簡易ブラシ３７の操作性を向上させることができる。
【００４７】
ストッパー３８は、内管蓋３４の上方から容易に装着することができるため、ストッパー３８の装着作業性を向上させることができる。ストッパー３８の当接部３９の下端から突条１６の上端までの距離は、ストッパー３８の上端から外管蓋１５の内壁までの距離よ
り長くなるように形成されているため、何らかの原因でストッパー３８の係合手段が破損した場合でも、内管８の抜止機能を維持させることができる。
【００４８】
突条１６及び凹溝４４は、一対の伸縮スプリング４７間に配設されているため、伸縮スプリング４７により形成されたデッドスペースを有効利用して省スペース化を図ることができるため、外管７の外径を小さくすることができる。また、突条１６及び凹溝４４により一対の伸縮スプリング４７間の絶縁性に問題が生じることはない。
【００４９】
卓上のごみ等は、床用吸込具９を使用することなく簡易ブラシ３７を図９に示すように引き出す方向に回動させて容易に使用することができる。また、簡易ブラシ３７を使用しない時は、図８に示すように収納する方向に回動させることにより通常の使用に支障が生じることはない。
【００５０】
尚、本形態では、伸縮パイプ２の連絡配線は伸縮スプリング４７により構成されているが、これに限定されるものではない。摺動接点等により伸縮パイプ２の連絡配線を構成してもよい。
【００５１】
また、伸縮パイプ２の内管８の方が外管７より上流側になるように接続したが、これに限定されるものではない。伸縮パイプ２の外管７の方が内管８より上流側になるように接続してもよい。
【００５２】
また、貫通孔４１は延設部３３及び底板３５を貫通させたが、この位置に、突条１６より下方位置まで凹設された凹所を形成してもよい。またストッパー３８の当接部３９もこの凹所内に収納される大きさでよい。
【００５３】
図１４は他の形態の取付台３６ａを示している。取付台３６は内管８の装着部２７とカバー部３２との間で狭持することにより内管８に装着した。取付台３６ａはＡＢＳ樹脂により略筒状に形成され、伸縮パイプ２を組立てた状態で後取付ができるようになっている。
【００５４】
反外管７側と反対側の内管８の外周面に外方に突出する複数の突起７３を形成している。取付台３６ａには、突起７３に係合する係合穴７４が形成されている。取付台３６ａと簡易ブラシ３７との係合関係は、取付台３６の場合と同様である。また、内管８の突起７３に係合する取付台３６ａの係合穴７４の少なくとも一つは、簡易ブラシ３７の第１係止突部６０あるいは第２係止突部６１と係合する位置に形成されている。
【００５５】
この構成により、取付台３６ａを後取付することができるため、取付台３６ａが破損して簡易ブラシ３７が使用できなくなった場合、取付台３６ａを簡単に交換して簡易ブラシ３７再び使用することができる。また、取付台３６ａを内管８に係合させる係合穴７４は、簡易ブラシ３７を取付台３６ａの所定位置で係止させる係止孔５５に兼用することができるため、構成を簡素化することができる。
【００５６】
尚、この他の形態では取付台３６ａの係合穴７４の少なくとも一つを、簡易ブラシ３７を取付台３６ａの所定位置で係止させる係止孔５５に兼用したが、取付台３６ａの係合穴７４の全てを係止孔５５に兼用してもよい。
【図面の簡単な説明】
【００５７】
【図１】本発明を実施するための最良の形態の電気掃除機の伸縮パイプの分解斜視図である。
【図２】同電気掃除機の伸縮パイプの分解斜視図で、ストッパーの構成を詳細に示す拡大図である。
【図３】同電気掃除機の伸縮パイプの側断面図で、ストッパーの構成を詳細に示す拡大図である。
【図４】同電気掃除機の伸縮パイプの縦断面図で、内管と外管との関係を示す拡大図である。
【図５】同電気掃除機の伸縮パイプの分解斜視図で、取付台の構成を詳細に示す拡大図である。
【図６】同電気掃除機の伸縮パイプの内管の斜視図である。
【図７】同電気掃除機の伸縮パイプの斜視図である。
【図８】同電気掃除機の伸縮パイプの側面図で、簡易ブラシを収納した状態を示す。
【図９】同電気掃除機の伸縮パイプの側面図で、簡易ブラシを使用状態にした状態を示す。
【図１０】同電気掃除機の側面図である。
【図１１】同電気掃除機の表示部の断面図である。
【図１２】同電気掃除機の表示部の他の形態を示す断面図である。
【図１３】同電気掃除機の従来の表示部の断面図である。
【図１４】他の形態の電気掃除機の伸縮パイプの斜視図である。
【符号の説明】
【００５８】
１    電気掃除機
２    伸縮パイプ
３    本体
４    ホース
７    外管
８    内管
９    床用吸込具
１１  外管吸気流路
１２  外管配線スペース
１３  第１端子
１５  外管蓋
１６  突条
１７  調整機構
２６  内管吸気流路
２８  第２端子
３４  内管蓋
３８  ストッパー
４３  内管配線スペース
４４  凹溝
４７  伸縮スプリング
【図１】
2005152492.tif 000003
【図２】
2005152492.tif 000004
【図３】
2005152492.tif 000005
【図４】
2005152492.tif 000006
【図５】
2005152492.tif 000007
【図６】
2005152492.tif 000008
【図７】
2005152492.tif 000009
【図８】
2005152492.tif 000010
【図９】
2005152492.tif 000011
【図１０】
2005152492.tif 000012
【図１１】
2005152492.tif 000013
【図１２】
2005152492.tif 000014
【図１３】
2005152492.tif 000015
【図１４】
2005152492.tif 000016